(57)【要約】      （修正有）【課題】本発明は、研究室封じ込め装置に適合する測定される封じ込めコントロールシステムを提供する。【解決手段】装置は、サイズ、ジオメトリに関してさまざまな整合的なエンクロージャ構成を有する。装置へのユーザーアクセスは、開口または概して吸排気の換気の濾過を有する手袋の使用により可能である。システムは、少なくとも１つのセンサ６、研究室封じ込め装置に接続される換気のための排気ダクト５または排気出口、排気ダクト５の排出空気量をコントロールするための空気流れコントロール手段２、少なくとも１つのセンサ６にそして空気流れコントロール手段２に接続れるコントロールユニット１３を備える。コントロールユニット１３は、少なくとも１つのセンサ６から常に信号を受け取るように配置され、この信号に基づき、研究室封じ込め装置からの排出空気量を変えるように空気流れコントロール手段２を調整する。【選択図】図２
2018031580.tif 000002
【特許請求の範囲】
【請求項１】
測定される封じ込めコントロールシステムであって、
−整合的なエンクロージャを有する研究室封じ込め装置（１）、
−ユーザが前記研究室封じ込め装置（１）の内部にアクセスするための手段、
−空気中のプロパティを測定するために配置される少なくとも１つのセンサ（６）、
−前記研究室封じ込め装置（１）の換気のための排気出口、
−前記研究室封じ込め装置（１）の内部に入る供給空気のための少なくとも１つの開口、
−排出空気量を制御するための空気流れコントロール手段（２）、
−少なくとも１つのセンサ（６）に、そして前記空気流れコントロール手段（２）に接続されるコントロールユニット（１３）、を含み、
前記コントロールユニット（１３）は、少なくとも１つのセンサ（６）からの信号を常に受け取るように配置され、そして、これらの信号に基づいて、測定値が要求されるときに前記排出空気量が減少するように調整されるように、前記研究室封じ込め装置（１）からの前記排出空気量を変えるように前記空気流れコントロール手段（２）を調整する、ことを特徴とする、測定される封じ込めコントロールシステム。
【請求項２】
少なくとも１つのセンサ（６）は、空気中の化学的な、病原性の、放射線学の、または微粒子の内容を測定するように配置される、ことを特徴とする請求項１に記載の測定される封じ込めコントロールシステム。
【請求項３】
前記システムは、空気中の１つまたは複数のプロパティを測定するように配置される２つ以上のセンサ（６）を含む、ことを特徴とする請求項１または２に記載の測定される封じ込めコントロールシステム。
【請求項４】
前記排気出口は排気ダクト（５）を含み、１つのセンサ（６）は、前記排気ダクト（５）の内部に配置される、ことを特徴とする請求項１〜３のいずれか１項に記載の測定される封じ込めコントロールシステム。
【請求項５】
１つのセンサ（６）は、前記研究室封じ込め装置（１）の内部に配置される、ことを特徴とする請求項１〜４のいずれか１項に記載の測定される封じ込めコントロールシステム。
【請求項６】
１つのセンサ（６）は、前記研究室封じ込め装置（１）の外部に配置される、ことを特徴とする請求項１〜５のいずれか１項に記載の測定される封じ込めコントロールシステム。
【請求項７】
センサ（６）は、前記研究室封じ込め装置（１）の内部または外部のいくつかの位置に配置される、ことを特徴とする請求項３〜６のいずれか１項に記載の測定される封じ込めコントロールシステム。
【請求項８】
ユーザが前記研究室封じ込め装置（１）の内部にアクセスするための前記手段は、少なくとも１つの可動サッシ、ドアまたはウィンドウを含む、ことを特徴とする請求項１〜７のいずれか１項に記載の測定される封じ込めコントロールシステム。
【請求項９】
１つのセンサ（６）は、前記サッシ、ドアまたはウィンドウの位置を検出する、ことを特徴とする請求項８に記載の測定される封じ込めコントロールシステム。
【請求項１０】
１つのセンサ（６）は、前記開口の面速度を測定する、ことを特徴とする請求項１〜９のいずれか１項に記載の測定される封じ込めコントロールシステム。
【請求項１１】
請求項１に記載のシステムを含む測定される封じ込めコントロールのための方法であって、少なくとも１つのセンサ（６）が前記排気出口の内部、前記研究室封じ込め装置（１）の内部または前記研究室封じ込め装置（１）の外部の空気中のプロパティを常に測定するように、そして前記コントロールユニット（１３）に信号を送るように、少なくとも１つのセンサ、前記コントロールユニット（１３）および前記空気流れコントロール手段（２）は、閉ループシステムを形成し、前記コントロールユニット（１３）は、これらの信号に基づいて、前記研究室封じ込め装置（１）からの前記排出空気量を変えるように前記空気流れコントロール手段（２）を調整する、ことを特徴とする、測定される封じ込めコントロールのための方法。
【請求項１２】
少なくとも１つのセンサ（６）は、空気中の化学的な、病原性の、放射線学の、または微粒子の内容を測定する、ことを特徴とする請求項１１に記載の測定される封じ込めコントロールのための方法。
【請求項１３】
２つ以上のセンサ（６）は、空気中の１つまたは複数のプロパティを測定する、ことを特徴とする請求項１１または１２に記載の測定される封じ込めコントロールのための方法。
【請求項１４】
１つのセンサは、前記排気出口内、前記研究室封じ込め装置（１）の内部または前記研究室封じ込め装置（１）の外部の空気中のプロパティを測定する、ことを特徴とする請求項１１〜１３のいずれか１項に記載の測定される封じ込めコントロールのための方法。
【請求項１５】
他のセンサは、前記排気出口内、前記研究室封じ込め装置（１）の内部または前記研究室封じ込め装置（１）の外部の空気中のプロパティを測定する、ことを特徴とする請求項１４に記載の測定される封じ込めコントロールのための方法。
【請求項１６】
請求項１１〜１５のいずれか１項に記載の方法を含む測定される封じ込めコントロールのための方法であって、ユーザが前記研究室封じ込め装置（１）の内部にアクセスするための前記手段は、前記研究室封じ込め装置（１）の内部にアクセスするための開口を現わして、調整するために用いる少なくとも１つの可動サッシ、ドアまたはウィンドウを含む、ことを特徴とする測定される封じ込めコントロールのための方法。
【請求項１７】
請求項１６に記載の方法を含む測定される封じ込めコントロールのための方法であって、１つのセンサ（６）は、前記可動サッシ、ドアまたはウィンドウの位置を検出する、ことを特徴とする測定される封じ込めコントロールのための方法。
【請求項１８】
請求項１１〜１７のいずれか１項に記載の方法を含む測定される封じ込めコントロールのための方法であって、１つのセンサ（６）は、前記開口の面速度を測定する、ことを特徴とする測定される封じ込めコントロールのための方法。
【請求項１９】
請求項１７に記載の方法を含む測定される封じ込めコントロールのための方法であって、第１に、前記サッシ、ドアまたはウィンドウの位置が測定されて、前記センサ（６）から第１の信号が前記コントロールユニット（１３）に送られ、前記コントロールユニット（１３）は、前記第１の信号に基づいて、前記研究室封じ込め装置（１）からの前記排出空気量を変えるように前記空気流れコントロール手段（２）を調整する、第２に、空気中のプロパティが別のセンサ（６）によって測定されて、第２の信号が前記コントロールユニット（１３）に送られ、前記コントロールユニット（１３）は、前記第２の信号に基づいて、前記研究室封じ込め装置（１）からの前記排出空気量を変えるように前記空気流れコントロール手段（２）を調整する、ことを特徴とする測定される封じ込めコントロールのための方法。
【請求項２０】
請求項１８に記載の方法を含む測定される封じ込めコントロールのための方法であって、第１に、前記開口の面速度が測定されて、前記センサ（６）から第１の信号が前記コントロールユニット（１３）に送られ、前記コントロールユニット（１３）は、前記第１の信号に基づいて、前記研究室封じ込め装置（１）からの前記排出空気量を変えるように前記空気流れコントロール手段（２）を調整する、第２に、空気中のプロパティが別のセンサ（６）によって測定されて、第２の信号が前記コントロールユニット（１３）に送られ、前記コントロールユニット（１３）は、前記第２の信号に基づいて、前記研究室封じ込め装置（１）からの前記排出空気量を変えるように前記空気流れコントロール手段（２）を調整する、ことを特徴とする測定される封じ込めコントロールのための方法。
【発明の詳細な説明】
【技術分野】
【０００１】
本発明は、研究室封じ込め装置（ｌａｂｏｒａｔｏｒｙ  ｃｏｎｔａｉｎｍｅｎｔ  ｄｅｖｉｃｅ）の内部の汚染物質のコントロールのためのシステムに関する。
【背景技術】
【０００２】
研究室では、通風室（ｆｕｍｅ  ｃｕｐｂｏａｒｄ）、ヒュームフード（ｆｕｍｅ  ｈｏｏｄ）、生物学的安全キャビネット、アイソレータ、化学的貯蔵キャビネット、および他の形の局所排気装置（ＬＥＶ）と言われる換気式封じ込め装置において、危険な活動およびそれらの要求するクリーンコンディションを含むプロセスが実行される。これらの装置は、サイズおよびジオメトリに関してさまざまな整合的（ｃｏｈｅｒｅｎｔ）エンクロージャ構成を有することができる。これらの装置に対するユーザーアクセスは、開口または手袋の使用によってなされることができる。後者の場合、吸気および排気の換気の濾過を概して有する。この文書の残りにとって、これらの装置のさまざまなタイプおよびグループは、研究室封じ込め装置として参照される。これらの装置の排気換気は、最悪のケースの安全性考慮を含む機能的要求の予め定められた推定または分析に基づいて、一定のまたは可変的な割合に設定される。すなわち、換気排気のコントロールは、エネルギー効率および危険な状況への反応に関しての不足を潜在的に有する。これらの多くの装置がインストールされる状況のために、このアプローチは、換気システムの主要なコストに関して相当な含みも有する。
【０００３】
開口によるユーザーアクセスを有する、そして従来の可変風量調整（ＶＡＶ）を備える研究室封じ込め装置のために、さまざまな形のコントロールが利用可能である。（開口の）面速度が（サッシの）位置の範囲と基本的に同じままである目的物によって可動サッシが開かれるにつれて、全ては、開口を通して引かれる体積流量を増加させる一般的概念を共有する。
【０００４】
換気コントロール装置のタイプは、以下を含む。
−（現在最も一般的に用いられる方法である）ダンパを調整すること。
−２位置スイッチング（ダンパ）。
−２速度スイッチング作用（ファン）。
【０００５】
コントロール・センサフォーマットの種類は、以下を含むことができる。
−サッシ位置検出。
−熱線風速計。
−圧力／流量測定。
【０００６】
採用されるコントロール装置およびセンサフォーマットの組合せにかかわりなく、これらの構成は、概念における開ループまたはフィードフォワードの一般的特徴をすべて共有する。すなわち、（その減少／除去が中心目的である）研究室封じ込め装置の内部の汚染物質のレベルの測定に対する制御よりもむしろ、操作上の基準は、予め定められた体積流量、面速度、および最大ＶＡＶターンダウン比の可用性である。この種の（経験的にセットされるか、評価されるか、または査定されるかどうかの）固定された性能測定基準は、機能的な安全性および持続性の連結された要件に完全には応じることができない。
【発明の概要】
【発明が解決しようとする課題】
【０００７】
本発明の目的は、前述の不利な点を軽減することである。
【０００８】
特に、安全目的に同時に対処する一方で、エネルギー効率的な換気システムを研究室封じ込め装置に提供することは、本発明の目的である。
【０００９】
この出願に記載されている本発明は、封じ込め装置の内部状態が汚染のために測定され、そして排気換気レートが汚染のレベルをコントロールする（減らすかまたは除去する）ために変化する変形例による上記の換気コントロール装置の交換である。本発明は、本願明細書において以後、測定される封じ込めコントロール（Ｍｅａｓｕｒｅｄ  Ｃｏｎｔａｉｎｍｅｎｔ  Ｃｏｎｔｒｏｌ  （ＭＣＣ））と呼ばれる。
【課題を解決するための手段】
【００１０】
第１の態様によれば、本発明は、それらの必要なクリーン状況の潜在的に危険な材料または活動を意図する、整合的なエンクロージャを有する研究室封じ込め装置を含む、測定される封じ込めコントロールシステムを提供する。システムは、空気中のプロパティを測定するために配置される少なくとも１つのセンサ、研究室封じ込め装置の換気のための排気出口、研究室封じ込め装置の内部に入る供給空気のための少なくとも１つの開口、排出空気量を制御するための空気流れコントロール手段、および、少なくとも１つのセンサに、そして空気流れコントロール手段に接続されるコントロールユニット、をさらに含む。コントロールユニットは、少なくとも１つのセンサからの信号を常に受け取るように配置され、そして、これらの信号に基づいて、研究室封じ込め装置からの排出空気量を変えるように空気流れコントロール手段を調整する。
【００１１】
本発明の実施形態において、少なくとも１つのセンサは、空気中の化学的な、病原性の、放射線学の、または微粒子の内容を測定するように配置される。センサが気温または湿度のような測定をするように配置されてよい空気中の他の可能性あるプロパティがあるものと理解される。そしてそれは、作業の安全性または作業条件のために決定的でもよい。
【００１２】
本発明の実施形態において、システムは、空気中の１つまたは複数のプロパティを測定するように配置される２つ以上のセンサを含む。
【００１３】
本発明の実施形態において、排気出口は、研究室封じ込め装置に接続している排気ダクトを含み、１つのセンサは、排気ダクトの内部に配置される。
【００１４】
本発明の実施形態において、１つのセンサは、研究室封じ込め装置の内部に配置される。
【００１５】
本発明の実施形態において、１つのセンサは、研究室封じ込め装置の外部に配置される。この場合の位置は、例えば、ユーザが研究室封じ込め装置の内部にアクセスするための手段の近く、または研究室封じ込め装置がある部屋の換気システムの内部でよい。
【００１６】
本発明の実施形態において、センサは、研究室封じ込め装置の内部または外部のいくつかの位置に配置される。また、研究室封じ込め装置の外部のセンサの位置は、例えば、ユーザが研究室封じ込め装置の内部にアクセスするための手段の近く、または研究室封じ込め装置がある部屋の換気システムの内部でよい。
【００１７】
本発明の実施形態において、ユーザが封じ込め装置の内部にアクセスするための手段は、研究室封じ込め装置の内部にアクセスするための開口のサイズを現わして、調整する少なくとも１つの可動サッシ、ドアまたはウィンドウを含む。サッシ、ドアまたはウインドウのサイズおよびジオメトリは、開口のサイズに依存して変化してよい。また、サッシ、ドアまたはウィンドウは、スライド機構を備えてよく、または、それらはヒンジによって研究室封じ込め装置に接続していてよい。
【００１８】
本発明の実施形態において、１つのセンサは、サッシ、ドアまたはウインドウの位置を検出する。
【００１９】
本発明の実施形態において、１つのセンサは、開口の面速度を測定する。
【００２０】
本発明の第２の態様によれば、本発明は、それらの必要なクリーン状況の潜在的に危険な材料または活動を意図する、整合的なエンクロージャを有する研究室封じ込め装置を含む、測定される封じ込めコントロールシステムを含む測定される封じ込めコントロールのための方法を提供する。システムは、空気中のプロパティを測定するために配置される少なくとも１つのセンサ、換気のための排気出口、研究室封じ込め装置の内部に入る供給空気のための少なくとも１つの開口、排出空気量を制御するための空気流れコントロール手段、および、少なくとも１つのセンサに、そして空気流れコントロール手段に接続されるコントロールユニット、をさらに含む。コントロールユニットは、少なくとも１つのセンサからの信号を常に受け取るように配置され、そして、これらの信号に基づいて、研究室封じ込め装置の排出空気量を変えるために空気流れコントロール手段を調整する。少なくとも１つのセンサが排気ダクトの内部、研究室封じ込め装置の内部または研究室封じ込め装置の外部の空気中のプロパティを常に測定するように、そしてコントロールユニットに信号を送るように、少なくとも１つのセンサ、コントロールユニットおよび空気流れコントロール手段は、閉ループシステムを形成し、コントロールユニットは、これらの信号に基づいて、研究室封じ込め装置からの排出空気量を変えるために空気流れコントロール手段を調整する。
【００２１】
本発明の実施形態において、少なくとも１つのセンサは、空気中の化学的な、病原性の、放射線学の、または微粒子の内容を測定する。
【００２２】
本発明の実施形態において、２つ以上のセンサは、空気中の１つまたは複数のプロパティを測定する。
【００２３】
本発明の実施形態において、１つのセンサは、排気出口内、研究室封じ込め装置の内部または研究室封じ込め装置の外部の空気中のプロパティを測定する。
【００２４】
本発明の実施形態において、他のセンサは、排気出口内、研究室封じ込め装置の内部または研究室封じ込め装置の外部の空気中のプロパティを測定する。
【００２５】
本発明の実施形態において、ユーザが研究室封じ込め装置の内部にアクセスするための手段は、研究室封じ込め装置の内部にアクセスするための開口を現わして、調整するために用いる少なくとも１つの可動サッシ、ドアまたはウィンドウを含む。
【００２６】
本発明の実施形態において、１つのセンサは、サッシ、ドアまたはウィンドウの位置を検出する。
【００２７】
本発明の実施形態において、１つのセンサは、開口の面速度を測定する。開口は、ユーザが装置の内部にアクセスする開口に接続していてよく、または、開口は別々の１つでもよい。
【００２８】
本発明の実施形態において、第１に、サッシ、ドアまたはウィンドウの位置が測定されて、センサから第１の信号がコントロールユニットに送られ、コントロールユニットは、第１の信号に基づいて、研究室封じ込め装置からの排出空気量を変えるように空気流れコントロール手段を調整する、第２に、空気中のプロパティが別のセンサによって測定されて、第２の信号がコントロールユニットに送られ、コントロールユニットは、第２の信号に基づいて、研究室封じ込め装置からの排出空気量を再び変えるように空気流れコントロール手段を調整する。
【００２９】
本発明の実施形態において、第１に、開口の面速度が測定されて、センサから第１の信号がコントロールユニットに送られ、コントロールユニットは、第１の信号に基づいて、研究室封じ込め装置からの排出空気量を変えるように空気流れコントロール手段を調整する、第２に、空気中のプロパティが別のセンサによって測定されて、第２の信号がコントロールユニットに送られ、コントロールユニットは、第２の信号に基づいて、研究室封じ込め装置からの排出空気量を変えるように空気流れコントロール手段を調整する。
【００３０】
上記の本発明の態様および実施形態は、互いにいかなる組合せでも使われてよいことを理解すべきである。態様および実施形態のいくつかは、本発明のさらなる実施形態を形成するために一緒に組み合わされてよい。
【００３１】
本発明のさらなる理解を提供して、この明細書の一部を構成するために含まれる添付図面は、本発明の実施形態を例示して、説明と共に本発明の原理を説明するのを助ける。
【図面の簡単な説明】
【００３２】
【図１】図１は、研究室封じ込め装置のアクソノメトリック正面図を示す。
【図２】図２は、研究室封じ込め装置のアクソノメトリック側面図を示す。
【図３】図３は、部屋内の測定封じ込めコントロールシステムを示す。
【発明を実施するための形態】
【００３３】
図１は、４つの側壁９、天井１０、床１１、排気ダクト５を含む排気出口、およびユーザが研究室封じ込め装置の内部にアクセスするための手段、を含む研究室封じ込め装置１を示す。排気ダクト５は、研究室封じ込め装置１からの空気流れ量を調整するための空気流れ調整手段２をさらに含む。図１において、ユーザが研究室封じ込め装置１の内部にアクセスするための手段は、最も典型的にはサッシと称される可動パネルを含む。しかし、ユーザーアクセスは、複数のより小さいパネル（ドア、ウィンドウ等）またはサッシ（時々、研究室封じ込め装置の１つ以上の表面上に置かれる）または手袋または長手袋によって達成されてよい。図１において、サッシ４は、ユーザが研究室封じ込め装置１の内部にアクセスするための開口３を現わす開位置に示される。ユーザ８（すなわち研究室労働者）は、開口３を通して研究室封じ込め装置１内部で操作する。そしてユーザ８は、サッシの位置をそれらのニーズに対応するように調整してよい。例えば、緊急事態（例えば、潜在的に有害な材料の流出）には、サッシを閉じることによってできるだけ速く開口３を閉じること、そして、排出空気量を最大レートにセットすることは、重要である。
【００３４】
図１は、研究室封じ込め装置用の１つの考えられる構造だけを示す。研究室封じ込め装置は、局所排気装置を使用するそして室内に配置される多くの種類の装置（例えば、煙霧排気装置、煙霧フード、微生物学的安全キャビネットおよび化学的貯蔵キャビネット）を含むものと理解される。したがって、研究室封じ込め装置の内部の空気中のプロパティが測定されることができて、制御されることができる限り、装置は、床を有しない（例えば、ウォークイン式ユニット）、異なる数の側壁を有する、および／または曲面等を有する、ような多くの構造形態を有してよいものと理解される。
【００３５】
図２は、研究室封じ込め装置１の側面図を示す。そしてそれは、少なくとも１つのセンサ６を含む。センサ６は、空気中のプロパティ（例えば、化学的な、病原性の、放射線学の、または微粒子含有量）を常に測定するように配置される。図２において、センサ６は、排気ダクト５の内部に、研究室封じ込め装置１の内部の操作領域の背壁上に、作業面１２上に、および研究室封じ込め装置１の外部のサッシ上に、置かれる。これらは、センサ６にとって可能性がある場所だけである。そして場所は、研究室封じ込め装置１の内部のまたは研究室封じ込め装置１の近くのどこか他の場所でもよいものと理解される。いくつかのセンサ６が同じ特徴を測定するためにあってもよい。または、それらは空気中の異なるプロパティを測定してもよい。センサ６は、信号をコントロールユニット１３に常に送信する。そしてそれは、空気流れコントロール手段２を調整することによって排出空気量を増加または減少する必要があるかどうかを算出する。これは閉ループシステムと呼ばれ、コントロールユニット１３は、センサ６からのフィードバックを得て、その結果を目標値と比較する。測定値が目標値と異なる場合、コントロールユニットは、排出空気量が目標値に到達するように調整するために空気流れコントロール手段に指令信号を送る。測定値が目標値と異ならない場合、排出空気量は、エネルギーを節約するためにゼロ付近までまたはゼロまでさえ減少することが可能である。これは、測定される封じ込めコントロール（ＭＣＣ）システムなしでは可能でない。そしてそれは、空気中の汚染レベルを常に測定して、必要なときに排出空気量を調整する。空気流れコントロール手段２は、概してダンパである。そしてその位置は調整されることができる。他の概して使用される空気流れコントロール手段２は、異なる位置を有するスイッチ、および調整可能な速度を有するファンである。手段は、研究室封じ込め装置１からの排出空気量を調整するために他の装置を含んでよいものと理解される。
【００３６】
図３は、測定される封じ込めコントロールシステムおよび研究室封じ込め装置１で操作するユーザ８を含む部屋を開示する。図３において、部屋は、１台の研究室封じ込め装置１を備える。しかし、１つの部屋に複数台の研究室封じ込め装置１を有することは可能である。各研究室封じ込め装置１は、研究室封じ込め装置１の内部でまたはそれの近くで空気中のプロパティを測定する少なくとも１つのセンサ６を備える。部屋は、少なくとも１つの新鮮空気供給ダクト７を含む独立した空気換気システムを備える。測定される封じ込めコントロールシステムは、新鮮空気供給ダクトの内部にもセンサ６を含んでよい。新鮮空気供給ダクト７の内部で測定される値を基準値として使用すること、そしてこの値を研究室封じ込め装置１の内部でまたはそれの近くで測定される値と比較すること、そしてこれらの値が互いに対応しない場合に排出空気量を調整すること、は可能である。
【００３７】
図において、排気ダクト５は、天井１０を通して研究室封じ込め装置に接続される。しかしながら、それは、それのエンクロージャの他の表面を通して研究室封じ込め装置１に接続されてよい。また、研究室封じ込め装置は、システムが用いられることができるただ１つの可能なアプリケーションである。システムは、クリーンコンディションを必要とする、そして危険物が使われるさまざまな研究室プロセスにおいて使用されてよい。そして、本発明が適用されてよい研究室封じ込め装置のタイプは、煙霧排気装置、煙霧フード、微生物学的安全キャビネット、アイソレータ、化学的貯蔵キャビネットおよび局所排気装置の他の形を含む。これらの封じ込め装置のいくつかは、開口よりもむしろ手袋または長手袋によるユーザーインタフェースを有する。しかし、本発明の適用ならびに安全性およびエネルギー効率に関するその利点は、達成可能なままである。
【００３８】
本発明が１つの特定のシステムと関連して記載されたにもかかわらず、本発明はいかなる特定のタイプのシステムにも限られないことを理解すべきである。本発明が多くの例示的実施形態および実施態様に関連して記載されたとはいえ、本発明はそれほど制限されなくて、むしろ予期される請求の範囲に入るさまざまな修正および等価な構成をカバーする。
【図１】
2018031580.tif 000003
【図２】
2018031580.tif 000004
【図３】
2018031580.tif 000005
【外国語明細書】
2018031580000001.pdf